【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
３８０ｎｍ以上４９０ｎｍ以下の範囲内に発光ピーク波長を有する発光素子と、
５８０ｎｍ以上６８０ｎｍ以下の範囲内に少なくとも一つの発光ピーク波長を有する光を発する、下記式（Ｉ）乃至（ＶＩ）で表される組成を有する蛍光体からなる群から選択される少なくとも一種の蛍光体を含む、赤色蛍光体を備え、
４００ｎｍ以上４９０ｎｍ以下の範囲における青色光の光量子束Ｂに対する６２０ｎｍ以上７００ｎｍ以下の範囲における赤色光の光量子束Ｒの光量子束の比（Ｒ／Ｂ）が２０を超えて２００以下である、発光装置。
（Ｃａ１−ｓ−ｔＳｒｓＥｕｔ）ｘＡｌｕＳｉｖＮｗ      （Ｉ）
（式（Ｉ）中、ｓ、ｔ、ｕ、ｖ、ｗ及びｘは、それぞれ０≦ｓ≦１、０＜ｔ＜１．０、０＜ｓ＋ｔ＜１．０、０．８≦ｘ≦１．０、０．８≦ｕ≦１．２、０．８≦ｖ≦１．２、１．９≦ｕ＋ｖ≦２．１、２．５≦ｗ≦３．５を満たす数である。）
（Ｃａ１−ｐ−ｑ−ｒＳｒｐＢａｑＥｕｒ）２Ｓｉ５Ｎ８      （ＩＩ）
（式（ＩＩ）中、ｐ、ｑ及びｒは、０≦ｐ≦１．０、０≦ｑ≦１．０、０＜ｒ＜１．０及びｐ＋ｑ＋ｒ≦１．０を満たす数である。）
(ＣａａＳｒ1-ａ-ｃ-ｄＢａｄＥｕｃ)ｆＬｉｂＡｌ３Ｎｅ      （ＩＩＩ）
（式（ＩＩＩ）中、ａ、ｂ、ｃ、ｄ、ｅ及びｆは、それぞれ０≦ａ＜１．０、０．８≦ｂ≦１．０５、０．００１＜ｃ≦０．１、０≦ｄ≦０．２、３．０≦ｅ≦５．０、０．８≦ｆ≦１．０５を満たす数である。）
（ｉ-ｊ）ＭｇＯ・（ｊ/２）Ｓｃ２Ｏ３・ｋＭｇＦ２・ｍＣａＦ２・（１-ｎ）ＧｅＯ２・（ｎ/２）Ｍ５２Ｏ３：ｚＭｎ４+      （ＩＶ）
（式（ＩＶ）中、Ｍ５はＡｌ、Ｇａ及Ｉｎからなる群から選択される少なくとも１種を含み、ｉ、ｊ、ｋ、ｍ、ｎ及びｚはそれぞれ、２≦ｉ≦４、０≦ｊ＜０．５、０＜ｋ＜１．５、０≦ｍ＜１．５、０＜ｎ＜０．５、及び０＜ｚ＜０．０５を満たす数である。）
（Ｃａ，Ｓｒ）Ｓ：Ｅｕ        （Ｖ）
Ａ２［Ｍ１１−ｇＭｎ４＋ｇＦ６］      （ＶＩ）
（式（ＶＩ）中、Ａは、Ｋ、Ｌｉ、Ｎａ、Ｒｂ、Ｃｓ及びＮＨ４＋からなる群から選択される少なくとも１種を含み、Ｍ１は、第４族元素及び第１４族元素からなる群から選択される少なくとも１種の元素を含み、ｇは０＜ｇ＜０．２を満たす数である。）
【請求項２】
前記光量子束の比（Ｒ／Ｂ）が、５０以上１２０以下である、請求項１に記載の発光装置。
【請求項３】
前記発光装置が、前記発光装置の発光スペクトルにおいて、５８０ｎｍ以上６８０ｎｍ以下の範囲内に少なくとも一つの発光ピークを有し、前記発光ピークの半値幅が４０ｎｍ以上である、請求項１又は２に記載の発光装置。
【請求項４】
前記赤色蛍光体と、封止材料と、を含む蛍光部材を備え、前記蛍光部材中の前記赤色蛍光体の含有量は、前記封止材料１００質量部に対して、５質量部以上１５０質量部以下の範囲内である、請求項１から３のいずれか一項に記載の発光装置。
【請求項５】
請求項１から４のいずれか一項に記載の発光装置を赤色補光用発光装置とし、前記赤色補光用発光装置と、
３８０ｎｍ以上４９０ｎｍ以下の範囲内に発光ピーク波長を有する発光素子と、黄色蛍光体と、赤色蛍光体と、を含む第１白色ＬＥＤ発光装置とを組み合わせた、照明装置。
【請求項６】
前記第１白色ＬＥＤ発光装置に含まれる黄色蛍光体が、下記式（ｉｖ）乃至（ｖ）で表される組成を有する蛍光体からなる群から選択される少なくとも一種の蛍光体を含み、前記第１白色ＬＥＤ発光装置に含まれる赤色蛍光体が下記式（Ｉ）乃至（ＶＩ）で表される組成を有する蛍光体からなる群から選択される少なくとも一種の蛍光体を含む、請求項５に記載の照明装置。
Ｍ１４ｃ／ｅＳｉ１２−（ｃ＋ｄ）Ａｌｃ＋ｄＯｄＮ１６−ｄ：Ｅｕ      （ｉｖ）
（式（ｉｖ）中、Ｍ１４は、Ｓｒ、Ｃａ、Ｌｉ及びＹからなる群から選ばれる少なくとも１種を含み、ｃは０．５から５であり、ｄは０から２．５であり、ｅはＭ１４の電荷である。）
Ｍ１５３（Ａｌ，Ｇａ）５Ｏ１２：Ｃｅ      （ｖ）
（式（ｖ）中、Ｍ１５は、ＹまたはＬｕ，Ｇｄ，Ｔｂからなる群から選ばれる少なくとも１種を含む。）
（Ｃａ１−ｓ−ｔＳｒｓＥｕｔ）ｘＡｌｕＳｉｖＮｗ      （Ｉ）
（式（Ｉ）中、ｓ、ｔ、ｕ、ｖ、ｗ及びｘは、それぞれ０≦ｓ≦１、０＜ｔ＜１．０、０＜ｓ＋ｔ＜１．０、０．８≦ｘ≦１．０、０．８≦ｕ≦１．２、０．８≦ｖ≦１．２、１．９≦ｕ＋ｖ≦２．１、２．５≦ｗ≦３．５を満たす数である。）
（Ｃａ１−ｐ−ｑ−ｒＳｒｐＢａｑＥｕｒ）２Ｓｉ５Ｎ８      （ＩＩ）
（式（ＩＩ）中、ｐ、ｑ及びｒは、０≦ｐ≦１．０、０≦ｑ≦１．０、０＜ｒ＜１．０及びｐ＋ｑ＋ｒ≦１．０を満たす数である。）
（ＣａａＳｒ1-ａ-ｃ-ｄＢａｄＥｕｃ）ｆＬｉｂＡｌ３Ｎｅ      （ＩＩＩ）
（式（ＩＩＩ）中、ａ、ｂ、ｃ、ｄ、ｅ及びｆは、それぞれ０≦ａ＜１．０、０．８≦ｂ≦１．０５、０．００１＜ｃ≦０．１、０≦ｄ≦０．２、３．０≦ｅ≦５．０、０．８≦ｆ≦１．０５を満たす数である。）
（ｉ-ｊ）ＭｇＯ・（ｊ/２）Ｓｃ２Ｏ３・ｋＭｇＦ２・ｍＣａＦ２・（１-ｎ）ＧｅＯ２・（ｎ/２）Ｍ５２Ｏ３：ｚＭｎ４+      （ＩＶ）
（式（ＩＶ）中、Ｍ５はＡｌ、Ｇａ及Ｉｎからなる群から選択される少なくとも１種を含み、ｉ、ｊ、ｋ、ｍ、ｎ及びｚはそれぞれ、２≦ｉ≦４、０≦ｊ＜０．５、０＜ｋ＜１．５、０≦ｍ＜１．５、０＜ｎ＜０．５、及び０＜ｚ＜０．０５を満たす数である。）
（Ｃａ，Ｓｒ）Ｓ：Ｅｕ        （Ｖ）
Ａ２［Ｍ１１−ｇＭｎ４＋ｇＦ６］      （ＶＩ）
（式（ＶＩ）中、Ａは、Ｋ、Ｌｉ、Ｎａ、Ｒｂ、Ｃｓ及びＮＨ４＋からなる群から選択される少なくとも１種を含み、Ｍ１は、第４族元素及び第１４族元素からなる群から選択される少なくとも１種の元素を含み、ｇは０＜ｇ＜０．２を満たす数である。）
【請求項７】
前記第１白色ＬＥＤ発光装置が、４００ｎｍ以上４９０ｎｍ以下の範囲における光量子束を積算した青色光の光量子束を１としたとき、４９０ｎｍを超えて５７０ｎｍ以下の範囲における光量子束を積算した緑色光の光量子束Ｇが１．７である、請求項５又は６に記載の照明装置。
【請求項８】
前記第１白色ＬＥＤ発光装置から発せられる光と、前記赤色補光用発光装置から発せられる光との混色光の４００ｎｍ以上４９０ｎｍ以下の範囲における青色光の光量子束Ｂｍｉｘに対する６２０ｎｍ以上７００ｎｍ以下の範囲における赤色光の光量子束Ｒｍｉｘの比Ｒｍｉｘ／Ｂｍｉｘが３．５である、請求項５から７のいずれか一項に記載の照明装置。
【請求項９】
前記第１白色ＬＥＤ発光装置と前記赤色補光用発光装置の合計の個数１００％に対する前記第１白色ＬＥＤ発光装置の個数比率が６０％以下である、請求項５から８のいずれか一項に記載の照明装置。
【請求項１０】
前記第１白色ＬＥＤ発光装置単独から発せられる光の４００ｎｍ以上４９０ｎｍ以下の範囲における青色光の光量子束Ｂと、４９０ｎｍを超えて５７０ｎｍ以下の範囲における緑色光の光量子束Ｇの比（Ｇ／Ｂ）に対する、前記第１白色ＬＥＤ発光装置及び赤色補光用発光装置との組み合わせから発せられる混色光の４００ｎｍ以上４９０ｎｍ以下の範囲における青色光の光量子束Ｂと、４９０ｎｍを超えて５７０ｎｍ以下の範囲における緑色光の光量子束Ｇの比（Ｇ／Ｂ）の比率であるＧ／Ｂ維持率が９０％を超える、請求項５から９のいずれか１項に記載の照明装置。
【請求項１１】
請求項１から４のいずれか一項に記載の発光装置を赤色補光用発光装置とし、前記赤色補光用発光装置と、
３８０ｎｍ以上４９０ｎｍ以下の範囲内に発光ピーク波長を有する発光素子と、緑色蛍光体と、黄色蛍光体と、赤色蛍光体と、を含む第２白色ＬＥＤ発光装置とを組み合わせた、照明装置。
【請求項１２】
前記第２白色ＬＥＤ発光装置に含まれる緑色蛍光体が、下記式（ｉ）乃至（ｉｉｉ）で表される組成を有する蛍光体からなる群から選択される少なくとも一種の蛍光体を含み、前記第２白色ＬＥＤ発光装置に含まれる黄色蛍光体が、下記式（ｉｖ）乃至（ｖ）で表される組成を有する蛍光体からなる群から選択される少なくとも一種の蛍光体を含み、前記第２白色ＬＥＤ発光装置に含まれる赤色蛍光体が下記式（Ｉ）乃至（ＶＩ）で表される組成を有する蛍光体からなる群から選択される少なくとも一種の蛍光体を含む、請求項１１に記載の照明装置。
Ｍ１１8ＭｇＳｉ４Ｏ１６Ｘ１１２：Ｅｕ      （ｉ）
（式（ｉ）中、Ｍ１１はＣａ、Ｓｒ、Ｂａ及びＺｎからなる群から選択される少なくとも１種を含み、Ｘ１１はＦ、Ｃｌ、Ｂｒ及びＩからなる群から選択される少なくとも１種を含む。）
Ｓｉ６−ｂＡｌｂＯｂＮ８−ｂ：Ｅｕ      （ｉｉ）
（式（ｉｉ）中、ｂは０＜ｂ＜４．２を満たす。）
Ｍ１３Ｇａ２Ｓ４：Ｅｕ      （ｉｉｉ）
（式（ｉｉｉ）中、Ｍ１３は、Ｍｇ，Ｃａ，Ｓｒ及びＢａからなる群から選ばれる少なくとも１種を含む。）
Ｍ１４ｃ／ｅＳｉ１２−（ｃ＋ｄ）Ａｌｃ＋ｄＯｄＮ１６−ｄ：Ｅｕ      （ｉｖ）
（式（ｉｖ）中、Ｍ１４は、Ｓｒ、Ｃａ、Ｌｉ及びＹからなる群から選ばれる少なくとも１種を含み、ｃは０．５から５であり、ｄは０から２．５であり、ｅはＭ１４の電荷である。）
Ｍ１５３（Ａｌ，Ｇａ）５Ｏ１２：Ｃｅ      （ｖ）
（式（ｖ）中、Ｍ１５は、ＹまたはＬｕ，Ｇｄ，Ｔｂからなる群から選ばれる少なくとも１種を含む。）
（Ｃａ１−ｓ−ｔＳｒｓＥｕｔ）ｘＡｌｕＳｉｖＮｗ      （Ｉ）
（式（Ｉ）中、ｓ、ｔ、ｕ、ｖ、ｗ及びｘは、それぞれ０≦ｓ≦１、０＜ｔ＜１．０、０＜ｓ＋ｔ＜１．０、０．８≦ｘ≦１．０、０．８≦ｕ≦１．２、０．８≦ｖ≦１．２、１．９≦ｕ＋ｖ≦２．１、２．５≦ｗ≦３．５を満たす数である。）
（Ｃａ１−ｐ−ｑ−ｒＳｒｐＢａｑＥｕｒ）２Ｓｉ５Ｎ８      （ＩＩ）
（式（ＩＩ）中、ｐ、ｑ及びｒは、０≦ｐ≦１．０、０≦ｑ≦１．０、０＜ｒ＜１．０及びｐ＋ｑ＋ｒ≦１．０を満たす数である。）
（ＣａａＳｒ1-ａ-ｃ-ｄＢａｄＥｕｃ）ｆＬｉｂＡｌ３Ｎｅ      （ＩＩＩ）
（式（ＩＩＩ）中、ａ、ｂ、ｃ、ｄ、ｅ及びｆは、それぞれ０≦ａ＜１．０、０．８≦ｂ≦１．０５、０．００１＜ｃ≦０．１、０≦ｄ≦０．２、３．０≦ｅ≦５．０、０．８≦ｆ≦１．０５を満たす数である。）
（ｉ-ｊ）ＭｇＯ・（ｊ/２）Ｓｃ２Ｏ３・ｋＭｇＦ２・ｍＣａＦ２・（１-ｎ）ＧｅＯ２・（ｎ/２）Ｍ５２Ｏ３：ｚＭｎ４+      （ＩＶ）
（式（ＩＶ）中、Ｍ５はＡｌ、Ｇａ及Ｉｎからなる群から選択される少なくとも１種を含み、ｉ、ｊ、ｋ、ｍ、ｎ及びｚはそれぞれ、２≦ｉ≦４、０≦ｊ＜０．５、０＜ｋ＜１．５、０≦ｍ＜１．５、０＜ｎ＜０．５、及び０＜ｚ＜０．０５を満たす数である。）
（Ｃａ，Ｓｒ）Ｓ：Ｅｕ        （Ｖ）
Ａ２［Ｍ１１−ｇＭｎ４＋ｇＦ６］      （ＶＩ）
（式（ＶＩ）中、Ａは、Ｋ、Ｌｉ、Ｎａ、Ｒｂ、Ｃｓ及びＮＨ４＋からなる群から選択される少なくとも１種を含み、Ｍ１は、第４族元素及び第１４族元素からなる群から選択される少なくとも１種の元素を含み、ｇは０＜ｇ＜０．２を満たす数である。）
【請求項１３】
前記第２白色ＬＥＤ発光装置が、４００ｎｍ以上４９０ｎｍ以下の範囲における光量子束を積算した青色光の光量子束を１としたとき、４９０ｎｍを超えて５７０ｎｍ以下の範囲における光量子束を積算した緑色光の光量子束Ｇが１．７である、請求項１１又は１２に記載の照明装置。
【請求項１４】
前記第２白色ＬＥＤ発光装置から発せられる光と、前記赤色補光用発光装置から発せられる光との混色光の４００ｎｍ以上４９０ｎｍ以下の範囲における青色光の光量子束Ｂｍｉｘに対する６２０ｎｍ以上７００ｎｍ以下の範囲における赤色光の光量子束Ｒｍｉｘの比Ｒｍｉｘ／Ｂｍｉｘが３．５である、請求項１１から１３のいずれか一項に記載の照明装置。
【請求項１５】
前記第２白色ＬＥＤ発光装置と前記赤色補光用発光装置の合計の個数１００％に対する前記第２白色ＬＥＤ発光装置の個数比率が６０％以下である、請求項１１から１４のいずれか一項に記載の照明装置。
【請求項１６】
前記第２白色ＬＥＤ発光装置単独から発せられる光の４００ｎｍ以上４９０ｎｍ以下の範囲における青色光の光量子束Ｂと、４９０ｎｍを超えて５７０ｎｍ以下の範囲における緑色光の光量子束Ｇの比（Ｇ／Ｂ）に対する、前記第２白色ＬＥＤ発光装置及び赤色補光用発光装置との組み合わせから発せられる混色光の４００ｎｍ以上４９０ｎｍ以下の範囲における青色光の光量子束Ｂと、４９０ｎｍを超えて５７０ｎｍ以下の範囲における緑色光の光量子束Ｇの比（Ｇ／Ｂ）の比率であるＧ／Ｂ維持率が９０％を超える、請求項１１から１５のいずれか一項に記載の照明装置。
【請求項１７】
植物栽培に用いる、請求項５から１６のいずれか一項に記載の照明装置。
【請求項１８】
前記請求項５から１６のいずれか一項に記載の照明装置から発する光を植物に照射する植物栽培方法。